(57)【要約】【課題】複数の放送方式候補の中の或る一つの放送方式の放送信号のみが受信可能であって外部の放送方式識別装置による前記或る一つの放送方式の識別が容易な受信装置を提供する。【解決手段】複数の放送方式候補の中の或る一つの放送方式の放送信号のみが受信可能な受信装置であって、前記或る一つの放送方式の各チャンネルのみが選局可能なチューナーと、前記或る一つの放送方式を外部の放送方式識別装置が識別するための指標となる指標手段（チューナーの外形を指標とする指標手段）と、前記チューナー及び前記指標手段を搭載する１枚の回路基板１０２とを備える受信装置。前記或る一つの放送方式が第１の放送方式である場合は、チューナー１Ａのように発光素子１６から受光素子１７への光を遮らず、第２の放送方式である場合はチューナーが前記光を遮る。【選択図】図１
2008099151.tif 000002
【特許請求の範囲】
【請求項１】
複数の放送方式候補の中の或る一つの放送方式の放送信号のみが受信可能な受信装置であって、
前記或る一つの放送方式の各チャンネルのみが選局可能なチューナーと、
前記或る一つの放送方式を外部の放送方式識別装置が識別するための指標となる指標手段と、
前記チューナー及び前記指標手段を搭載する１枚の回路基板とを備えることを特徴とする受信装置。
【請求項２】
前記指標手段が前記チューナーの外形を指標としている請求項１に記載の受信装置。
【請求項３】
前記受信装置がテレビジョン受信機である請求項１又は請求項２に記載の受信装置。
【請求項４】
請求項１〜３のいずれかに記載の受信装置が受信可能な放送信号の放送方式を識別する放送方式識別装置であって、
前記受信装置が備える指標手段に基づいて、前記受信装置が受信可能な放送信号の放送方式を前記指標手段に非接触で識別する識別手段を備えることを特徴とする放送方式識別装置。
【請求項５】
前記識別手段は、前記指標手段に光を照射する発光素子と、前記指標手段からの光を受光する受光素子とを有し、前記受光素子が受光する光量に応じて、前記受信装置が受信可能な放送信号の放送方式を識別する請求項４に記載の放送方式識別装置。
【請求項６】
前記識別手段は、前記受光素子が前記光を受光するか否かにより、前記受信装置が受信可能な放送信号の放送方式を識別する請求項５に記載の放送方式識別装置。
【請求項７】
請求項４〜６のいずれかに記載の放送方式識別装置を備え、
請求項１〜３のいずれかに記載の受信装置が受信可能な放送信号の放送方式の各候補に適合する検査信号をそれぞれ生成する信号源を前記各候補分備え、
前記放送方式識別装置の識別結果に応じて、前記放送方式識別装置によって放送方式が識別される請求項１〜３のいずれかに記載の受信装置が受信可能な放送信号の放送方式に適合する検査信号を選択して前記受信装置のチューナー入力端に供給することを特徴とする信号出力装置。
【請求項８】
請求項４〜６のいずれかに記載の放送方式識別装置を備え、
請求項１〜３のいずれかに記載の受信装置が受信可能な放送信号の放送方式の各候補に適合する選局に必要なデータ信号をそれぞれ生成する信号源を前記各候補分備え、
前記放送方式識別装置の識別結果に応じて、前記放送方式識別装置によって放送方式が識別される請求項１〜３のいずれかに記載の受信装置が受信可能な放送信号の放送方式に適合する選局に必要な信号を選択して前記受信装置に供給することを特徴とする信号出力装置。
【請求項９】
発光部を備え、
前記放送方式識別装置の識別結果に応じて、前記放送方式識別装置によって放送方式が識別される請求項１〜３のいずれかに記載の受信装置が受信可能な放送信号の放送方式に適合する選局に必要な信号を選択し、その選択した信号を前記発光部によってデータ光信号に変換し、前記受信装置に設けられる受光部に供給する請求項８に記載の信号出力装置。
【発明の詳細な説明】
【技術分野】
【０００１】
本発明は、複数の放送方式候補の中の或る一つの放送方式の放送信号のみが受信可能な受信装置、前記受信装置が受信可能な放送信号の放送方式を識別する放送方式識別装置、及び前記放送方式識別装置の識別結果に応じて信号を出力する信号出力装置に関する。
【背景技術】
【０００２】
近年、各国で地上デジタル放送が開始され、従来のアナログ放送方式（日本の場合はＮＴＳＣ方式）からの切り換えが進みつつある。なお、新しいデジタル放送方式は、国毎に方式が異なる。
【０００３】
日本では、２０１１年に実施が予定されているアナログ放送（ＮＴＳＣ方式）の停波までの間、新しいデジタル方式の放送電波と従来のアナログ方式の放送電波が混在する。このような状況のなかで、複数の放送方式に対応した受信装置（例えば、アナログ放送の受信と地上デジタル放送の受信が可能なテレビジョン受信装置）が開発されている（例えば、特許文献１〜３を参照）。
【０００４】
上述した複数の放送方式に対応した受信装置は、複数の放送方式に対応可能にするために部品点数が増加し、コストが高くなる。そこで、低廉な受信装置を提供するために、複数の放送方式候補の中の或る一つの放送方式の放送信号のみが受信可能な受信装置を候補分の種類だけ生産するという方策が考えられる。かかる方策を採用すると、例えば、複数の放送方式候補がアナログ放送と地上デジタル放送の二つである場合、アナログ放送の受信のみが可能な受信装置と地上デジタル放送の受信のみが可能な受信装置の二種類を生産することになる。
【特許文献１】特開２００６−１８６５１６号公報
【特許文献２】特開２００４−２０１３３９号公報
【特許文献３】特開２００３−２３００６０号公報
【発明の開示】
【発明が解決しようとする課題】
【０００５】
しかしながら、上記方策を採用する場合、生産ライン（生産時の検査ラインも含む）において、受信装置に送るデータ信号(選局プロトコル等のプログラムも含む)や検査信号が受信装置の種類毎に異なっているため、受信装置の種類毎に別々の生産ラインを構築するか、或いは生産ライン上の設備を入れ替える必要があり、生産効率が良くないという問題があった。
【０００６】
また、上記方策を採用する場合、受信装置においても、受信可能な放送信号の放送方式が異なれば、復調方式が異なるため、復調回路や選局のためのデータ（プログラムも含む）が異なり、受信装置の種類に応じたハードウエア、ソフトウエアを準備する必要があった。
【０００７】
本発明は、上記の状況に鑑み、複数の放送方式候補の中の或る一つの放送方式の放送信号のみが受信可能であって外部の放送方式識別装置による前記或る一つの放送方式の識別が容易な受信装置、前記受信装置が受信可能な放送信号の放送方式を識別する放送方式識別装置、及び前記放送方式識別装置の識別結果に応じて信号を出力する信号出力装置を提供することを目的とする。
【課題を解決するための手段】
【０００８】
上記目的を達成するために本発明に係る受信装置は、複数の放送方式候補の中の或る一つの放送方式の放送信号のみが受信可能な受信装置であって、前記或る一つの放送方式の各チャンネルのみが選局可能なチューナーと、前記或る一つの放送方式を外部の放送方式識別装置が識別するための指標となる指標手段と、前記チューナー及び前記指標手段を搭載する１枚の回路基板とを備える構成とする。
【０００９】
このような構成により、複数の放送方式候補の中の或る一つの放送方式の放送信号のみが受信可能であるとともに、外部の放送方式識別装置による前記或る一つの放送方式の識別が容易になる。なお、前記指標手段の一例としては、前記チューナーの外形を指標としているものが挙げられる。また、前記受信装置の具体例としては、テレビジョン受信機が挙げられる。
【００１０】
また、上記目的を達成するために本発明に係る放送方式識別装置は、上記構成の受信装置が受信可能な放送信号の放送方式を識別する放送方式識別装置であって、前記受信装置が備える指標手段に基づいて、前記受信装置が受信可能な放送信号の放送方式を前記指標手段に非接触で識別する識別手段を備える構成とする。
【００１１】
このような構成により、上記構成の受信装置が受信可能な放送信号の放送方式を非接触で識別することができる。なお、前記識別手段の一例としては、前記指標手段に光を照射する発光素子と、前記指標手段からの光を受光する受光素子とを有し、前記受光素子が受光する光量に応じて、前記受信装置が受信可能な放送信号の放送方式を識別するものが挙げられる。さらに、前記識別手段は、前記受光素子が前記光を受光するか否かにより、前記受信装置が受信可能な放送信号の放送方式を識別する態様にしてもよい。
【００１２】
また、上記目的を達成するために本発明に係る信号出力装置は、上記構成の放送方式識別装置を備え、上記構成の受信装置が受信可能な放送信号の放送方式の各候補に適合する検査信号をそれぞれ生成する信号源を前記各候補分備え、前記放送方式識別装置の識別結果に応じて、前記放送方式識別装置によって放送方式が識別される上記構成の受信装置が受信可能な放送信号の放送方式に適合する検査信号を選択して前記受信装置のチューナー入力端に供給する構成としている。このような構成により、受信装置の種類に応じた検査信号を出力することができる。
【００１３】
また、上記目的を達成するために本発明に係る信号出力装置は、上記構成の放送方式識別装置を備え、上記構成の受信装置が受信可能な放送信号の放送方式の各候補に適合する選局に必要なデータ信号をそれぞれ生成する信号源を前記各候補分備え、前記放送方式識別装置の識別結果に応じて、前記放送方式識別装置によって放送方式が識別される上記構成の受信装置が受信可能な放送信号の放送方式に適合する選局に必要な信号を選択して前記受信装置に供給する構成としている。このような構成により、受信装置の種類に応じたデータ信号(選局プロトコル等のプログラムも含む)を出力することができる。さらに、発光部を備え、前記放送方式識別装置の識別結果に応じて、前記放送方式識別装置によって放送方式が識別される上記厚生の受信装置が受信可能な放送信号の放送方式に適合する選局に必要な信号を選択し、その選択した信号を前記発光部によってデータ光信号に変換し、前記受信装置に設けられる受光部に供給するようにしてもよい。
【発明の効果】
【００１４】
本発明によると、複数の放送方式候補の中の或る一つの放送方式の放送信号のみが受信可能であって外部の放送方式識別装置による前記或る一つの放送方式の識別が容易な受信装置、前記受信装置が受信可能な放送信号の放送方式を識別する放送方式識別装置、及び前記放送方式識別装置の識別結果に応じて信号を出力する信号出力装置を実現することができる。このような受信装置、放送方式識別装置、及び信号出力装置を用いることにより、生産ライン（生産時の検査ラインも含む）において、受信装置に送るデータ信号(選局プロトコル等のプログラムも含む)や検査信号が受信装置の種類毎に異なっているが、受信装置の種類毎に別々の生産ラインを構築することも生産ライン上の設備を入れ替えることも必要がなくなり、生産効率を良くすることができる。
【００１５】
また、受信装置がプログラマブルロジック回路等を備え、受信装置の種類に応じた信号が信号出力装置から送られてくるようにすることで、復調方式が異なるため、復調回路や選局のためのデータ（プログラムも含む）が異なり、受信装置の種類に応じたハードウエア、ソフトウエアを準備する必要があっても、チューナー部を除く受信装置の基板の共通化(前半工程の共通化)が図れるので、多品種少ロット生産であったとしても、まとめ生産などが行え、生産効率が向上する。
【発明を実施するための最良の形態】
【００１６】
本発明の実施形態について図面を参照して以下に説明する。ここでは、複数の放送方式候補の中の或る一つの放送方式の放送信号のみが受信可能な受信装置について、複数の放送方式候補が第１の放送方式と第２の放送方式の二つである場合を例に挙げて説明する。
【００１７】
第１の放送方式の放送信号のみが受信可能なテレビジョン受信機は、図１に示すように、第１の放送方式の各チャンネルのみが選局可能な第１のチューナー１Ａと、復調回路２と、マイクロプロセッサ３と、赤外線受光素子４と、これらが実装される回路基板１００とを備えている。
【００１８】
一方、第２の放送方式の放送信号のみが受信可能なテレビジョン受信機は、図２に示すように、第２の放送方式の各チャンネルのみが選局可能な第２のチューナー１Ｂと、復調回路２と、マイクロプロセッサ３と、赤外線受光素子４と、これらが実装される回路基板１００とを備えている。
【００１９】
回路基板１００は、第１のチューナー１Ａ又は第２のチューナー１Ｂが実装可能なように設計された基板である。また、回路基板１００に実装されるチューナー以外の部品については、第１のチューナー１Ａを実装する場合でも第２のチューナー１Ｂを実装する場合でも共通であるため、あらかじめまとめ生産をすることが可能である。
【００２０】
第１の放送方式の放送信号のみが受信可能なテレビジョン受信機および第２の放送方式の放送信号のみが受信可能なテレビジョン受信機が、回路基板１００がむき出しの状態（外側ケース等が取り付けられていない状態）で生産ライン上の所定の位置にくると、信号出力装置２００内の放送方式識別装置は後述する手順で放送方式を識別する。本実施形態では、チューナーの大きさが放送方式を識別するための指標手段となっている。また、テレビジョン受信機が生産ライン上の所定の位置にくると、スイッチ１３の極とテレビジョン受信機のチューナー入力端とが同軸ケーブル等によって接続される。なお、第１の放送方式の放送信号のみが受信可能なテレビジョン受信機であっても、第２の放送方式の放送信号のみが受信可能なテレビジョン受信機であっても、テレビジョン受信機が、生産ライン上の所定の位置にきたときのチューナー入力端子の位置は固定されている。
【００２１】
ここで、信号出力装置２００の概略構成について説明する。信号出力装置２００は、第１の検査信号源１１Ａと、第２の検査信号源１１Ｂと、第１のデータ信号源１２Ａと、第２のデータ信号源１２Ｂと、検査信号源の切り替えを行うスイッチ１３と、データ信号の切り替えを行うスイッチ１４と、赤外線発光素子１５と、発光素子１６と、受光素子１７と、装置全体を制御する制御回路１８とを備えている。発光素子１６と、受光素子１７と、制御回路１８の一部分とが、放送方式識別装置として機能する。
【００２２】
まず始めに、第１の放送方式の放送信号のみが受信可能なテレビジョン受信機が生産ラインにのっている場合について図１を参照して検討する。
【００２３】
第１の放送方式の放送信号のみが受信可能なテレビジョン受信機が、回路基板１００がむき出しの状態（外側ケース等が取り付けられていない状態）で生産ライン上の所定の位置にくると、制御回路１８が発光素子１６を発光させる。この場合、図１に示すように、発光素子１６と受光素子１７との間には障害物がないため、受光素子１７は、発光素子１６からの光を受け、光電変換により得られた電気信号を制御回路１８に送出する。制御回路１８は、受光素子１７からの電気信号が有ることから、生産ライン上の所定の位置にあるテレビジョン受信機が受信可能な放送信号の放送方式が第１の放送方式であることを識別する。
【００２４】
制御回路１８は、生産ライン上の所定の位置にあるテレビジョン受信機が受信可能な放送信号の放送方式が第１の放送方式であることを識別すると、スイッチ１３に第１の検査信号源１１Ａを選択させ、スイッチ１４に第１のデータ信号源１２Ａを選択させる。
【００２５】
制御回路１８は、第１のデータ信号源１２Ａから出力される第１のデータ信号（第１の放送方式に適合したデータであって、選局プロトコル等のプログラムを含む）を赤外線発光素子１５により赤外線データに変換させて、第１の放送方式の放送信号のみが受信可能なテレビジョン受信機の赤外線受光素子４に送る。第１の放送方式の放送信号のみが受信可能なテレビジョン受信機では、赤外線受光素子４が受け取った赤外線データを電気信号に変換してマイクロプロセッサ３に出力し、マイクロプロセッサ３が赤外線受光素子４の出力に応じて復調回路２内に記憶されるデータ（選局プロトコル等のプログラムを含む）を確定する。
【００２６】
また、第１の検査信号源１１Ａから出力される第１の検査信号（第１の放送方式に適合した検査信号）は、第１の放送方式の放送信号のみが受信可能なテレビジョン受信機のチューナー入力端（第１のチューナー１Ａの入力端）に送られる。
【００２７】
続いて、第２の放送方式の放送信号のみが受信可能なテレビジョン受信機が生産ラインにのっている場合について図２を参照して検討する。
【００２８】
第２の放送方式の放送信号のみが受信可能なテレビジョン受信機が、回路基板１００がむき出しの状態（外側ケース等が取り付けられていない状態）で生産ライン上の所定の位置にくると、制御回路１８が発光素子１６を発光させる。この場合、図２に示すように、発光素子１６と受光素子１７との間にある第２のチューナー１Ｂが障害物となるため、受光素子１７は、発光素子１６からの光を受けることができない。制御回路１８は、受光素子１７からの電気信号が無いことから、生産ライン上の所定の位置にあるテレビジョン受信機が受信可能な放送信号の放送方式が第２の放送方式であることを識別する。
【００２９】
制御回路１８は、生産ライン上の所定の位置にあるテレビジョン受信機が受信可能な放送信号の放送方式が第２の放送方式であることを識別すると、スイッチ１３に第２の検査信号源１１Ｂを選択させ、スイッチ１４に第２のデータ信号源１２Ｂを選択させる。
【００３０】
制御回路１８は、第２のデータ信号源１２Ｂから出力される第２のデータ信号（第２の放送方式に適合したデータであって、選局プロトコル等のプログラムを含む）を赤外線発光素子１５により赤外線データに変換させて、第２の放送方式の放送信号のみが受信可能なテレビジョン受信機の赤外線受光素子４に送る。第２の放送方式の放送信号のみが受信可能なテレビジョン受信機では、赤外線受光素子４が受け取った赤外線データを電気信号に変換してマイクロプロセッサ３に出力し、マイクロプロセッサ３が赤外線受光素子４の出力に応じて復調回路２内に記憶されるデータ（選局プロトコル等のプログラムを含む）を確定する。
【００３１】
また、第２の検査信号源１１Ｂから出力される第２の検査信号（第２の放送方式に適合した検査信号）は、第２の放送方式の放送信号のみが受信可能なテレビジョン受信機のチューナー入力端（第２のチューナー１Ｂの入力端）に送られる。
【００３２】
図１及び図２に示すような構成のテレビジョン受信機及び信号出力装置を用いることにより、生産ライン（生産時の検査ラインも含む）において、受信装置に送るデータ信号(選局プロトコル等のプログラムも含む)や検査信号がテレビジョン受信機の種類毎に異なっているが、テレビジョン受信機の種類毎に別々の生産ラインを構築することも生産ライン上の設備を入れ替えることも必要がなくなり、生産効率を良くすることができる。
【００３３】
また、テレビジョン受信機が赤外線受光素子４、マイクロプロセッサ３、及び復調回路２を備え、テレビジョン受信機の種類に応じたデータ信号が信号出力装置２００から送られてくるようにすることで、復調方式が異なるため、復調回路や選局のためのデータ（プログラムも含む）が異なり、テレビジョン受信機の種類に応じたソフトウエアを準備する必要があっても、チューナー部を除くテレビジョン受信機の基板の共通化(前半工程の共通化)が図れるので、多品種少ロット生産であったとしても、まとめ生産などが行え、生産効率が向上する。なお、赤外線受光素子４及びマイクロプロセッサ３は、リモートコントロール、画像調整等の機能実現のために、テレビジョン受信機には一般的に搭載されているため、これを利用するとよい。
【００３４】
上述した実施形態では、信号出力装置からテレビジョン受信機へのデータ信号の伝送に赤外線を用いたが、赤外線の代わりにシリアルポートを用いることも可能である。赤外線の代わりにシリアルポートを用いた場合、図１の構成は図３の構成に置換することができ、図２の構成は図４の構成に置換することができる。なお、図３及び図４において、図１及び図２と同一の部分には同一の符号を付し詳細な説明を省略する。
【００３５】
回路基板１０１は、第１のチューナー１Ａ又は第２のチューナー１Ｂが実装可能なように設計された基板である。また、回路基板１０１に実装されるチューナー以外の部品（復調回路２、マイクロプロセッサ３、及びシリアルポート５）については、第１のチューナー１Ａを実装する場合でも第２のチューナー１Ｂを実装する場合でも共通であるため、あらかじめまとめ生産をすることが可能である。
【００３６】
信号出力装置２０１は、第１の検査信号源１１Ａと、第２の検査信号源１１Ｂと、第１のデータ信号源１２Ａと、第２のデータ信号源１２Ｂと、検査信号源の切り替えを行うスイッチ１３と、データ信号の切り替えを行うスイッチ１４と、発光素子１６と、受光素子１７と、装置全体を制御する制御回路１８とに加え、制御回路１８に接続されているシリアルポート１９を備えている。
【００３７】
シリアルポート５は、テレビジョン受信機の内部通信に使用するため、一般的に用いられており、代表例は、I2Cバスと呼ばれるものである。シリアルポート５とシリアルポート１９とを信号線によって接続することにより、信号出力装置２０１から第１の放送方式の放送信号のみが受信可能なテレビジョン受信機又は第２の放送方式の放送信号のみが受信可能なテレビジョン受信機へのデータ信号の伝送が可能となる。
【００３８】
また、放送方式を選択するにあたり、チューナー部以降の復調部で、ハードウエアの変更を要する場合は、復調回路２に代えてプログラマブルロジック回路６を用いるとよい。この場合、図１の構成は図５の構成に置換することができ、図２の構成は図６の構成に置換することができる。なお、図５及び図６において、図１及び図２と同一の部分には同一の符号を付し詳細な説明を省略する。
【００３９】
回路基板１０２は、第１のチューナー１Ａ又は第２のチューナー１Ｂが実装可能なように設計された基板である。また、回路基板１０２に実装されるチューナー以外の部品（マイクロプロセッサ３、赤外線受光素子４、及びプログラマブルロジック回路６）については、第１のチューナー１Ａを実装する場合でも第２のチューナー１Ｂを実装する場合でも共通であるため、あらかじめまとめ生産をすることが可能である。
【００４０】
図５及び図６の構成では、信号出力装置からプログラマブルロジック回路６を備えるテレビジョン受信機へのデータ信号の伝送に赤外線を用いたが、赤外線の代わりに図３及び図４と同様にシリアルポートを用いることも可能である。
【００４１】
また、上述した第１の放送方式、第２の放送方式の組み合わせとしては、例えば、アナログ放送方式（ＮＴＳＣ）−デジタル放送方式（ＡＲＩＢ）［日本向け］、アナログ放送方式（ＮＴＳＣ）−デジタル放送方式（ＡＴＳＣ）［米国向け］、デジタル放送方式（ＡＴＳＣ）−デジタル放送方式（ＡＲＩＢ）［仕向け地選択］等が考えられる。
【００４２】
なお、放送方式の候補は二つに限らず三つ以上であっても構わない。例えば、放送方式の候補を三つにする場合は、チューナーの大きさを三種類とし、信号出力装置に発光素子と受光素子の二組設けて各種類のチューナーを識別できるようにすればよい。
【図面の簡単な説明】
【００４３】
【図１】は、第１の放送方式の放送信号のみが受信可能なテレビジョン受信機の要部と信号出力装置との概略構成を示す図である。
【図２】は、第２の放送方式の放送信号のみが受信可能なテレビジョン受信機の要部と信号出力装置との概略構成を示す図である。
【図３】は、第１の放送方式の放送信号のみが受信可能なテレビジョン受信機の要部と信号出力装置との他の概略構成を示す図である。
【図４】は、第２の放送方式の放送信号のみが受信可能なテレビジョン受信機の要部と信号出力装置との他の概略構成を示す図である。
【図５】は、第１の放送方式の放送信号のみが受信可能なテレビジョン受信機の要部と信号出力装置との更に他の概略構成を示す図である。
【図６】は、第２の放送方式の放送信号のみが受信可能なテレビジョン受信機の要部と信号出力装置との更に他の概略構成を示す図である。
【符号の説明】
【００４４】
１Ａ    第１のチューナー
１Ｂ    第２のチューナー
２    復調回路
３    マイクロプロセッサ
４    赤外線受光素子
５    シリアルポート
６    プログラマブルロジック回路
１１Ａ    第１の検査信号源
１１Ｂ    第２の検査信号源
１２Ａ    第１のデータ信号源
１２Ｂ    第２のデータ信号源
１３、１４    スイッチ
１５    赤外線発光素子
１６    発光素子
１７    受光素子
１８    制御回路
１９    シリアルポート
１００〜１０２    回路基板
２００、２０１    信号出力装置
【図１】
2008099151.tif 000003
【図２】
2008099151.tif 000004
【図３】
2008099151.tif 000005
【図４】
2008099151.tif 000006
【図５】
2008099151.tif 000007
【図６】
2008099151.tif 000008